(57)【特許請求の範囲】
【請求項１】
輪状ステータ(1)の内面(1a)から所定角度間隔で内方へ突出する複数の突出磁極(2)と、前記輪状ステータ(1)の両面に一体又は別体にて設けられた輪状絶縁カバー(3)と、前記輪状絶縁カバー(3)に形成され前記各突出磁極(2)の少なくとも外周を覆うための突出樹脂部(4)と、前記各突出樹脂部(4)の外周面(4a)に形成され前記外周面(4a)よりも外方へ突出する複数の鍔部(20)と、前記各鍔部(20)を用いて前記突出樹脂部(4)の先端側(2A)から外径側(1A)へ向けて順に形成された少なくとも３個の第１、第２、第３輪状溝(21a,21b,21c)と、前記第１輪状溝(21a)に巻回された励磁巻線(5c)と、前記第２輪状溝(21b)に巻回された出力１相目巻線(5b)と、前記第３輪状溝(21c)に巻回された出力２相目巻線(5c)と、
を備えたレゾルバの巻線絶縁構造において、
前記各鍔部(20)の鍔部外周面(22)の中央位置に形成された少なくとも１個の切欠部(23)と、前記突出樹脂部(4)の外周面(4a)にその長手方向に沿って連続して形成され前記外周面(4a)から前記突出磁極(2)へ向けて深さ(D)を有する直線状の１本の長手状溝(24)と、を備え、前記各切欠き部(23)と長手状溝(24)とは互いに連通していると共に、前記長手状溝(24)には前記各輪状溝(21a〜21c)に巻回される前記各巻線(5)の端線(5A)又は渡り線(5B)が配設され、前記各輪状溝(21a,21b,21c)の深さよりも前記長手状溝(24)の深さの方がさらに深いため前記各輪状溝(21a〜21c)に巻回されている前記各巻線(5a〜5c)と前記長手状溝(24)内の前記端線(5A)又は渡り線(5B)は互いに直交で交叉して非接触とし、前記長手状溝(24)の長手方向(A)における内側底部(24a)には、前記端線(5A)又は渡り線(5B)を案内するためのテーパ状部(25)が形成され、前記各切欠部(23)と前記長手状溝(24)は前記輪状ステータ(1)の軸方向から見て互いに重合していることを特徴とするレゾルバの巻線絶縁構造。
【請求項２】
前記突出樹脂部(4)の外周面(4a)の外周形状は、断面で正方形(4aA)又は長方形(4aB)よりなることを特徴とする請求項１記載のレゾルバの巻線絶縁構造。
【発明の詳細な説明】
【技術分野】
【０００１】
本発明は、レゾルバの巻線絶縁構造に関し、特に、突出磁極に設けられる突出樹脂部の外周に複数の鍔部を介して形成した各輪状溝内に互いに異なる種類の巻線を巻回し、電気的特性の向上を計るための新規な改良に関する。
【背景技術】
【０００２】
従来、用いられていたこの種のレゾルバの巻線絶縁構造としては、例えば、特許文献１に開示されている構成を図７から図８で示される構成を挙げることができる。
すなわち、図７から図９において、符号１で示されるものは周知の輪状ステータであり、この輪状ステータ１の内面１ａには、所定角度間隔で内方へ突出する複数の突出磁極２が形成されている。
【０００３】
前記輪状ステータ１の両面には、一体又は別体で輪状絶縁カバー３が設けられ、この輪状絶縁カバー３の内面には、前記突出磁極２の外周を覆うように突出樹脂部４が形成されている。
前記各突出磁極２の外周には、前記輪状絶縁カバー３の突出樹脂部４を介してステータ巻線３が巻回され、このステータ巻線３は、周知の励磁巻線５ｃ、出力１相目巻線５ｂ及び出力２相目巻線５ａによって構成されている。
【０００４】
【特許文献１】米国特許第６７５０５７７号公報
【発明の開示】
【発明が解決しようとする課題】
【０００５】
従来のレゾルバの巻線絶縁構造は、以上のように構成されているため、次のような課題が存在していた。
すなわち、突出磁極の外周に巻回されるステータ巻線の励磁巻線と出力１相目巻線と出力２相目巻線は、互いに積層状態で巻回されているため、互いの巻線同士が接触し、被覆のピンホール等でショートする可能性があると共に、整列巻線による巻線保持が困難であった。
【課題を解決するための手段】
【０００６】
本発明によるレゾルバの巻線絶縁構造は、輪状ステータの内面から所定角度間隔で内方へ突出する複数の突出磁極と、前記輪状ステータの両面に一体又は別体にて設けられた輪状絶縁カバーと、前記輪状絶縁カバーに形成され前記各突出磁極の少なくとも外周を覆うための突出樹脂部と、前記各突出樹脂部の外周面に形成され前記外周面よりも外方へ突出する複数の鍔部と、前記各鍔部を用いて前記突出樹脂部の先端側から外径側へ向けて順に形成された少なくとも３個の第１、第２、第３輪状溝と、前記第１輪状溝に巻回された励磁巻線と、前記第２輪状溝に巻回された出力１相目巻線と、前記第３輪状溝に巻回された出力２相目巻線と、を備えた、レゾルバの巻線絶縁構造において、前記各鍔部の鍔部外周面の中央位置に形成された少なくとも１個の切欠部と、前記突出樹脂部の外周面にその長手方向に沿って連続して形成され前記外周面から前記突出磁極へ向けて深さを有する直線状の１本の長手状溝と、を備え、前記各切欠き部と長手状溝とは互いに連通していると共に、前記長手状溝には前記各輪状溝に巻回される前記各巻線の端線又は渡り線が配設され、前記各輪状溝の深さよりも前記長手状溝の深さの方がさらに深いため前記各輪状溝に巻回されている前記各巻線と前記長手状溝内の前記端線又は渡り線は互いに直交で交叉して非接触とし、前記長手状溝の長手方向における内側底部には、前記端線又は渡り線を案内するためのテーパ状部が形成され、前記各切欠部と前記長手状溝は前記輪状ステータの軸方向から見て互いに重合している構成であり、また、前記突出樹脂部の外周面の外周形状は、断面で正方形又は長方形よりなる構成である。
【発明の効果】
【０００７】
本発明によるレゾルバの巻線絶縁構造は、以上のように構成されているため、次のような効果を得ることができる。
すなわち、輪状ステータの内面から所定角度間隔で内方へ突出する複数の突出磁極と、前記輪状ステータの両面に一体又は別体にて設けられた輪状絶縁カバーと、前記輪状絶縁カバーに形成され前記各突出磁極の少なくとも外周を覆うための突出樹脂部と、前記各突出樹脂部の外周面に形成された複数の鍔部と、前記各鍔部間に形成された少なくとも３個の輪状溝と、前記各輪状溝に巻回されステータ巻線を形成するための励磁巻線、出力１相目巻線及び出力２相目巻線と、を備え、前記励磁巻線、出力１相目巻線及び出力２相目巻線は、前記各輪状溝毎に独立して配設されていることにより、各相の巻線が確に隔離して巻線することが可能となり、ワニスによる固定を行っていない場合においても、テンションをかけて整列巻きが可能となる。
また、前記各鍔部の鍔部外周面に形成された少なくとも１個の切欠き部と、前記突出樹脂部の外周面にその長手方向に沿って連続して形成された１本の長手状溝と、を備え、前記各切欠き部と長手状溝とは互いに連通していると共に、前記長手状溝には前記各輪状溝に巻回される前記各巻線の端線又は渡り線が配設されていることにより、各相巻線と端線又は渡り線との接触を防止し、信頼性の高いレゾルバを得ることができる。
また、前記突出樹脂部の外周面の外周形状は、断面で正方形又は長方形よりなることにより、ニードルによって巻回を行う場合に、４ヶ所の角度で巻線に力が作用し、整列巻線が円滑に行われる。
また、前記長手状溝の長手方向における内側底部には、テーパ状部が形成されていることにより、長手状溝内に設けられた端線及び渡り線の引出しが容易となる。
また、前記各輪状溝に巻回されている前記各巻線と前記長手状溝内の前記端線又は渡り線は互いに非接触としたことにより、信号系の信頼性を向上させることができる。
【発明を実施するための最良の形態】
【０００８】
本発明は、突出磁極に設けられる突出樹脂部の外周に複数の鍔部を介して形成した各輪状溝内に互いに異なる種類の巻線を巻回し、電気的特性の向上を計るようにしたレゾルバの巻線絶縁構造を提供することを目的とする。
【実施例】
【０００９】
以下、図面と共に本発明によるレゾルバの巻線絶縁構造の好適な実施の形態について説明する。
尚、従来例と同一又は同等部分には、同一符号を付して説明する。
また、周知のレゾルバの構成については、前述の突出磁極２に対するステータ巻線５の巻回構造が異なるのみで他は同一であるため、図８のレゾルバ１０（要部のみ）の構成を援用するものとする。
【００１０】
図１から図３において符号１で示されるものは周知の輪状ステータであり、この輪状ステータ１の内面１ａには、所定角度間隔で内方へ突出する複数の突出磁極２が一体に形成されている。
【００１１】
前記輪状ステータ１の両面には、一体又は別体で輪状絶縁カバー３が設けられ、この輪状絶縁カバー３の内面には、前記突出磁極２の外周を覆うように突出樹脂部4が形成されている。
前記各突出樹脂部４の外周面４ａには、その外方へ突出して複数の鍔部２０がその長手方向Ａに沿って所定間隔で一体に形成され、前記各鍔部２０を用いて突出樹脂部４の先端側２Ａから外径側１Ａへ向けて順に複数の第１、第２、第３輪状溝２１ａ，２１ｂ，２１ｃが形成されている。
【００１２】
前記各輪状溝２１ａ，２１ｂ，２１ｃを形成する各鍔部２０の鍔部外周面２２の中央位置には、各々１個の切欠き部２３が形成され、各切欠き部２３は前記突出樹脂部４の長手方向Ａに沿って一直線状に形成されている。また、前記各切欠部２３と長手状溝２４は輪状ステータ１の軸方向からみて互いに重合している。
【００１３】
前記突出樹脂部４の外周面４ａには、前記各切欠き部２３に連通する状態で直線状の長手状溝２４が形成されている。
前記長手状溝２４の溝の深さは、前記鍔状外周面２２からみた場合、前記各輪状溝２１ａ〜２１ｃの溝の深さよりもさらに深く形成され、この長手状溝２４は前記突出樹脂部４の外周面４ａから内部に切り込んだ状態で形成されている。尚、前記外周面４ａの外周形状は、断面で正方形４ａＡ又は長方形４ａＢで形成されている。前記長手状溝２４の深さＤは、前記外周面４ａから突出磁極２へ向けて形成されている。
【００１４】
前記長手状溝２４の長手方向Ａにおける内側底部２４ａには、底面から前記外周面４ａに向けて上がる状態で形成されたテーパ状部２５を有しており、後述におけるステータ巻線５の端線５Ａ又は渡り線５Ｂが配設されるように構成されている。尚、前記各切欠部２３と前記長手状溝２４は輪状ステータ１の軸方向から見て互いに重合している。
【００１５】
次に、前述の構成において、輪状ステータ１の各突出磁極２に前記突出樹脂部４を介してステータ巻線５を、図示しない自動巻線機のニードルを介して巻回させる場合について説明する。
まず、図６で示されるように、突出磁極２のティース内径側すなわち先端側２Ａの前記第１輪状溝２１ａに励磁巻線５ｃを巻回した後、その端線５Ａ又は渡り線５Ｂは前記長手状溝２４に配設されて輪状ステータ１の外径側１Ａへ引き出されて次の突出磁極２Ａ側へ移動される。
【００１６】
次に、前記第２輪状溝２１ｂには、前記ニードル（図示せず）によって出力１相目巻線５ｂが巻回され、その端線５Ａ又は渡り線５Ｂは長手状溝２４を介して前述と同様に外径側１Ａに引き出されている。
また、前記出力２相目巻線５ａは、図５には示していないが、図２に示されるように、前記第３輪状溝２１ｃにも前述と同様に、出力２相目巻線５ａが巻回されている。
【００１７】
従って、前述のように前記突出磁極２に巻回されたステータ巻線５の各巻線５ａ，５ｂ，５ｃは、前記各鍔部２０によって完全に分離・独立され、これらの各巻線５ａ，５ｂ，５ｃの各端線５Ａ又は渡り線５Ｂは前記長手状溝２４内に配設されているため、これらの各巻線５ａ，５ｂ，５ｃと各端線５Ａ又は渡り線５Ｂは、その配設方向が互いに直交し、かつ、各溝２１ａ〜２１ｃ及び２４の深さが異なるため、各巻線５ａ〜５ｃと端線５Ａ又は渡り線５Ｂとが互いに交差して接触することを防止することができると共に、互いの損傷等によるショートを防止できる。
また、各輪状溝２１ａ〜２１ｃの外周面４ａが正方形又は長方形であるため、巻回時のテンションがかけやすく、整列巻きを容易に行うことができる。
【００１８】
また、前記長手状溝２４の長手方向Ａにおける前記輪状ステータ１の外径側１Ａの内側底部２４ａには、テーパ状部２５が形成されているため、端線５Ａ又は５Ｂを長手状溝２４から引込む又は引出す時に円滑に案内することができる。
【００１９】
また、前記各巻線５ａ，５ｂ，５ｃが各溝２１ａ，２１ｂ，２１ｃにテンションを伴なって巻回されているため、従来のように、ワニス剤で各巻線５ａ，５ｂ，５ｃを固めなくても、各輪状溝２１ａ，２１ｂ，２１ｃに強固に整列巻きによって巻回された状態を維持することができると共に、浮き線の発生を抑え、振動による断線を防止し、ワニス剤の含浸固定を無くすことにより、耐ヒートショック性の向上を得ることができる。
【図面の簡単な説明】
【００２０】
【図１】本発明によるレゾルバの巻線絶縁構造を示す平面図である。
【図２】図１の構成に巻線を巻回した場合を示す断面図である。
【図３】図１のＡ−Ａ断面図である。
【図４】図１を拡大して示す斜視図である。
【図５】図１の断面を示す要部の断面図である。
【図６】本発明による巻線絶縁構造の巻線工程を示す説明図である。
【図７】従来のレゾルバの巻線絶縁構造を示す断面図である。
【図８】図７のＡ−Ａ断面図である。
【図９】従来のレゾルバの巻線絶縁構造の要部を示す斜視図である。
【符号の説明】
【００２１】
１    輪状ステータ
１ａ    内面
２    突出磁極
２ａ    外周
３    輪状絶縁カバー
４    突出樹脂部
４ａ    外周面
４ａＡ    正方形
４ａＢ    長方形
５    ステータ巻線
５ｃ    励磁巻線
５ｂ    出力１相目巻線
５ａ    出力２相目巻線
５Ａ    端線
５Ｂ    渡り線
１０    レゾルバ
２０    鍔部
２１ａ，２１ｂ，２１ｃ    第１、第２、第３輪状溝
２２    鍔部外周面
２３    切欠き部
２４    長手状溝
２５    テーパ状部
【図１】
0005309321.tif 000002
【図２】
0005309321.tif 000003
【図３】
0005309321.tif 000004
【図４】
0005309321.tif 000005
【図５】
0005309321.tif 000006
【図６】
0005309321.tif 000007
【図７】
0005309321.tif 000008
【図８】
0005309321.tif 000009
【図９】
0005309321.tif 000010